(57)【要約】【課題】  防犯機能を作動させるための操作を片手で容易に行うことが可能であり、誤作動の発生を抑制し得るとともに、犯人による防犯機能の停止操作が困難な防犯機能付き携帯端末装置を提供する。【解決手段】  本体ケース２０２と、電波を送受信するアンテナ１０１と、常態においてアンテナ１０１の一部が本体ケース２０２外に突出した突出部１０１ａとなるように付勢する付勢手段６０２と、を備える。付勢手段６０２による付勢に抗して突出部１０１ａが本体ケース２０２内に押し込み操作されたことを検出する検出手段６０３を備える。突出部１０１ａの押し込み操作が所定時間以内に所定回数以上なされた場合に防犯機能を作動させる。防犯機能の停止は、暗証番号の入力操作により行う。【選択図】    図１
2005354382.tif 000002
【特許請求の範囲】
【請求項１】
本体ケースと、
電波を送受信するアンテナと、
常態において前記アンテナの一部が前記本体ケース外に突出した突出部となるように、前記アンテナを前記本体ケース外に向けて付勢する付勢手段と、
前記付勢手段による付勢に抗して前記突出部が前記本体ケース内に押し込み操作されたことを検出する検出手段と、
前記検出手段が前記突出部の押し込み操作を所定時間内に所定回数以上検出した場合に作動して防犯動作を行う防犯動作手段と、
を備えることを特徴とする防犯機能付き携帯端末装置。
【請求項２】
本体ケースと、
電波を送受信するアンテナと、
常態において前記アンテナの一部が前記本体ケース外に突出した突出部となるように、前記アンテナを前記本体ケース外に向けて付勢する付勢手段と、
前記付勢手段による付勢に抗して前記突出部が前記本体ケース内に押し込み操作されたことを検出する検出手段と、
前記検出手段が前記突出部の押し込み操作を所定時間以上連続して検出した後で該押し込み操作が解除された場合に作動して防犯動作を行う防犯動作手段と、
を備えることを特徴とする防犯機能付き携帯端末装置。
【請求項３】
本体ケースと、
電波を送受信するアンテナと、
常態において前記アンテナの一部が前記本体ケース外に突出した突出部となるように、前記アンテナを前記本体ケース外に向けて付勢する付勢手段と、
前記付勢手段による付勢に抗して前記突出部が前記本体ケース内に押し込み操作されたことを検出する検出手段と、
前記押し込み操作を含む所定の操作がなされた場合に作動して防犯動作を行う防犯動作手段と、
を備えることを特徴とする防犯機能付き携帯端末装置。
【請求項４】
本体ケースと、
電波を送受信するアンテナと、
常態において前記アンテナの一部が前記本体ケース外に突出した突出部となるように、前記アンテナを前記本体ケース外に向けて付勢する付勢手段と、
前記付勢手段による付勢に抗して前記突出部が前記本体ケース内に第１押込量だけ押し込み操作されたことを検出する第１検出手段と、
前記第１検出手段による検出状態の継続時間を計時するタイマと、
前記第１押込量よりも多い第２押込量だけ前記付勢手段による付勢に抗して前記突出部が押し込み操作されたことを検出する第２検出手段と、
前記タイマにより所定時間以上の前記継続時間が計時された後で前記第２検出手段により前記第２押込量の押し込み操作が検出された場合に作動して防犯動作を行う防犯動作手段と、
を備えることを特徴とする防犯機能付き携帯端末装置。
【請求項５】
本体ケースと、
電波を送受信するアンテナと、
常態において前記アンテナの一部が前記本体ケース外に突出した突出部となるように、前記アンテナを前記本体ケース外に向けて付勢する付勢手段と、
前記付勢手段による付勢に抗して前記突出部が前記本体ケース内に第１押込量だけ押し込み操作されたことを検出する第１検出手段と、
前記第１検出手段による検出状態の継続時間を計時するタイマと、
前記第１押込量よりも多い第２押込量だけ前記付勢手段による付勢に抗して前記突出部が押し込み操作されたことを検出する第２検出手段と、
前記タイマにより所定時間以上の前記継続時間が計時された後で前記突出部の押し込み操作が解除されるという第１条件か、前記第２検出手段により前記第２押込量の押し込み操作が検出されるという第２条件が成立した場合に作動して防犯動作を行う防犯動作手段と、
を備えることを特徴とする防犯機能付き携帯端末装置。
【請求項６】
本体ケースと、
電波を送受信するアンテナと、
常態において前記アンテナの一部が前記本体ケース外に突出した突出部となるように、前記アンテナを前記本体ケース外に向けて付勢する付勢手段と、
前記付勢手段による付勢に抗して前記突出部が前記本体ケース内に第１押込量だけ押し込み操作されたことを検出する第１検出手段と、
前記第１押込量よりも多い第２押込量だけ前記付勢手段による付勢に抗して前記突出部が押し込み操作されたことを検出する第２検出手段と、
前記第１押込量の押し込み操作と前記第２押込量の押し込み操作とを組み合わせた操作を含む所定の操作がなされた場合に作動して防犯動作を行う防犯動作手段と、
を備えることを特徴とする防犯機能付き携帯端末装置。
【請求項７】
前記第１検出手段は、前記第１押込量だけ押し込み操作された際に相互に導通される一対の接点を備えて構成され、
前記第２検出手段は、前記第２押込量だけ押し込み操作された際に相互に導通される一対の接点を備えて構成され、
前記アンテナは、前記第１押込量だけ押し込み操作された際には前記第１検出手段の一対の接点を相互に導通させる一方で、前記第２押込量だけ押し込み操作された際には前記第２検出手段の一対の接点を相互に導通させる導電部を備えて構成されていることを特徴とする請求項４乃至６のいずれか一項に記載の防犯機能付き携帯端末装置。
【請求項８】
前記第１検出部の一対の接点のうちの一方の接点と、前記第２検出部の一対の接点のうちの一方の接点とは、同一の接点により構成されていることを特徴とする請求項７に記載の防犯機能付き携帯端末装置。
【請求項９】
使用者に操作される操作部と、
前記操作部に含まれる防犯動作用操作部が操作されたことを検出する検出手段と、
前記検出手段が前記防犯動作用操作部の操作を所定時間以上連続して検出した後で該操作が解除された場合に作動して防犯動作を行う防犯動作手段と、
を備えることを特徴とする防犯機能付き携帯端末装置。
【請求項１０】
前記所定回数を使用者が任意に設定する操作を行うことが可能に構成されていることを特徴とする請求項１に記載の防犯機能付き携帯端末装置。
【請求項１１】
前記所定時間を使用者が任意に設定する操作を行うことが可能に構成されていることを特徴とする請求項１、２、４、５、９又は１０に記載の防犯機能付き携帯端末装置。
【請求項１２】
前記防犯動作手段は、アラーム音を発する防犯ブザーを備えて構成されていることを特徴とする請求項１乃至１１のいずれか一項に記載の防犯機能付き携帯端末装置。
【請求項１３】
前記防犯動作手段は、予め登録された通知先宛の通話を自動的に開始する自動通話開始手段を備えて構成されていることを特徴とする請求項１乃至１２のいずれか一項に記載の防犯機能付き携帯端末装置。
【請求項１４】
前記防犯動作手段は、予め登録された通知先宛に自動的に電子メールを送信する自動メール送信手段を備えて構成されていることを特徴とする請求項１乃至１３のいずれか一項に記載の防犯機能付き携帯端末装置。
【請求項１５】
前記通知先を使用者が任意に設定する操作を行うことが可能に構成されていることを特徴とする請求項１３又は１４に記載の防犯機能付き携帯端末装置。
【請求項１６】
前記防犯動作手段は、複数種類の防犯動作を実行可能に構成され、
当該防犯機能付き携帯端末装置は、前記複数種類の防犯動作のうちの何れの防犯動作を作動させるかを使用者が任意に設定する操作を行うことが可能に構成されていることを特徴とする請求項１乃至１５のいずれか一項に記載の防犯機能付き携帯端末装置。
【請求項１７】
前記防犯動作手段を作動停止させる作動停止手段をさらに備えることを特徴とする請求項１乃至１６のいずれか一項に記載の防犯機能付き携帯端末装置。
【請求項１８】
前記作動停止手段は、暗証番号が入力操作された場合に前記防犯動作手段を作動停止させることを特徴とする請求項１７に記載の防犯機能付き携帯端末装置。
【請求項１９】
前記防犯動作手段を作動停止させる作動停止手段をさらに備え、
前記作動停止手段は、前記検出手段が前記突出部の押し込み操作を所定時間以上連続して検出した場合に前記防犯動作手段を作動停止させることを特徴とする請求項１乃至３のいずれか一項に記載の防犯機能付き携帯端末装置。
【請求項２０】
前記防犯動作手段を作動停止させる作動停止手段をさらに備え、
前記作動停止手段は、前記突出部の押し込み操作を含む所定の停止操作がなされた場合に前記防犯動作手段を作動停止させることを特徴とする請求項１乃至３のいずれか一項に記載の防犯機能付き携帯端末装置。
【請求項２１】
前記防犯動作手段を作動停止させる作動停止手段をさらに備え、
前記作動停止手段は、前記第１押込量の押し込み操作と前記第２押込量の押し込み操作とを組み合わせた操作を含む所定の停止操作がなされた場合に前記防犯動作手段を作動停止させることを特徴とする請求項４乃至８のいずれか一項に記載の防犯機能付き携帯端末装置。
【請求項２２】
前記所定の停止操作を使用者が任意に設定する操作を行うことが可能に構成されていることを特徴とする請求項２０又は２１に記載の防犯機能付き携帯端末装置。
【請求項２３】
前記検出手段が前記押し込み操作を所定時間以上連続して検出した場合であっても、該押し込み操作が解除される前に所定の停止操作が行われた場合には、前記防犯動作手段は作動しないことを特徴とする請求項２に記載の防犯機能付き携帯端末装置。
【請求項２４】
前記タイマにより所定時間以上の前記継続時間が計時された場合であっても、前記突出部の押し込み操作が解除される前に所定の停止操作が行われた場合には、前記防犯動作手段は作動しないことを特徴とする請求項５に記載の防犯機能付き携帯端末装置。
【請求項２５】
前記検出手段が前記操作を所定時間以上連続して検出した場合であっても、該操作が解除される前に所定の停止操作が行われた場合には、前記防犯動作手段は作動しないことを特徴とする請求項９に記載の防犯機能付き携帯端末装置。
【請求項２６】
前記防犯動作手段は、少なくとも第１及び第２の２種類の防犯動作を実行可能に構成され、このうち第１の防犯動作は前記アンテナの押し込み操作に基づき実行され、第２の防犯動作は前記アンテナ以外の操作部の操作に基づき実行されることを特徴とする請求項１乃至８のいずれか一項に記載の防犯機能付き携帯端末装置。
【請求項２７】
電源としての電池と、
前記電池を当該防犯機能付き携帯端末装置の本体ケースより脱落防止させる電池カバーと、
を備え、
前記電池カバーは前記本体ケースに止着されることを特徴とする請求項１乃至２６のいずれか一項に記載の防犯機能付き携帯端末装置。
【請求項２８】
前記防犯動作手段の動作用に専用の防犯動作手段専用電池を備えることを特徴とする請求項１乃至２７のいずれか一項に記載の防犯機能付き携帯端末装置。
【請求項２９】
前記防犯動作手段は、
前記自動通話開始手段により開始された通話の際に当該防犯機能付き携帯端末装置の位置情報を通知する位置情報通知手段を備えることを特徴とする請求項１３に記載の防犯機能付き携帯端末装置。
【請求項３０】
前記防犯動作手段は、
前記自動メール送信手段により送信される電子メールにて当該防犯機能付き携帯端末装置の位置情報を通知する位置情報通知手段を備えることを特徴とする請求項１４に記載の防犯機能付き携帯端末装置。
【請求項３１】
ＧＰＳ機能を備え、
前記位置情報通知手段は前記ＧＰＳ機能により認識される位置情報を通知することを特徴とする請求項２９又は３０に記載の防犯機能付き携帯端末装置。
【請求項３２】
当該防犯機能付き携帯端末装置は携帯電話機からなることを特徴とする請求項１乃至３１のいずれか一項に記載の防犯機能付き携帯端末装置。
【発明の詳細な説明】
【技術分野】
【０００１】
本発明は、防犯機能付き携帯端末装置に関する。
【背景技術】
【０００２】
近年、日本においても痴漢、ストーカー、誘拐或いはその他の犯罪が多数発生し、特に女性や子供は防犯ブザーを携帯する必要性が高いという状況になっている。
【０００３】
また、携帯電話機は広く普及して利用されており、常時携帯している場合が多い状況である。
【０００４】
この点に鑑みて携帯電話機に防犯機能を付加した防犯機能付き携帯電話機が多数提案されている。その従来技術の例を以下に列挙する。
【０００５】
先ず、特許文献１には、防犯ブザーを内蔵し、携帯紐を引き抜くことにより防犯ブザーが鳴動するように構成した携帯電話機が開示されている。
【０００６】
また、特許文献２には、誤動作防止蓋の内側に配された専用非常ボタンの操作により鳴動する防犯ブザーを備える携帯電話機が開示されている。
【０００７】
同様に、特許文献３には、簡単に誤動作しないように、暗証番号の入力により防犯ブザーと１１０番通報を行う携帯電話機が開示されている。
【０００８】
さらに、特許文献４には、誤動作を防止するため、アンテナを通常使用時よりも強い力で引っ張り出した場合に防犯機能を作動させるように構成した携帯電話機が開示されている。
【特許文献１】特開２０００−１８４０２１号公報（請求項１、図２）
【特許文献２】実用新案登録第３０７７９８７号公報（請求項１、図１）
【特許文献３】特開２００１−１７７６１１号公報（請求項１、図２）
【特許文献４】特開２００３−２１８９９７号公報（請求項１、図２、図４）
【発明の開示】
【発明が解決しようとする課題】
【０００９】
しかしながら、特許文献１の技術の場合、帯紐の引き抜き操作は片手では困難であるという問題があるほか、携帯紐を誤って引き抜く可能性も高く、その場合には意に反して防犯ブザーが鳴動してしまう。また、再度携帯紐を差し込めばすぐに防犯ブザーが停止してしまうため、犯人により容易に防犯ブザーの鳴動停止操作がなされてしまうという問題もある。
【００１０】
また、特許文献２の技術では、誤動作防止蓋を開けてから専用非常ボタンを操作する必要があるため、防犯ブザーを作動させるのに手間がかかり、とっさの場合に役立たないことが考えられる。
【００１１】
同様に、特許文献３の技術では、暗証番号を入力する必要があるため、防犯ブザーを作動させるのに手間がかかり、とっさの場合に役立たない可能性が大きい。
【００１２】
また、特許文献４の技術では、防犯機能を作動させるためにはアンテナを強い力で引っ張り出す必要があるが、アンテナを引き出すためには通常両手での操作が必要であり、操作性が悪いという問題がある。また、犯人にアンテナを戻された場合は１００番通話は続行されるものの防犯ブザーは停止するため、犯行現場での危険を回避できる可能性が低くなってしまう。
【００１３】
本発明は、上記のような問題点を解決するためになされたもので、防犯機能を作動させるための操作を片手で容易に行うことが可能であり、好ましくは誤作動の発生を抑制し得るとともに、犯人による防犯機能の停止操作は困難な防犯機能付き携帯端末装置を提供することを目的とする。
【課題を解決するための手段】
【００１４】
上記課題を解決するため、本発明の防犯機能付き携帯端末装置は、本体ケースと、電波を送受信するアンテナと、常態において前記アンテナの一部が前記本体ケース外に突出した突出部となるように、前記アンテナを前記本体ケース外に向けて付勢する付勢手段と、前記付勢手段による付勢に抗して前記突出部が前記本体ケース内に押し込み操作されたことを検出する検出手段と、前記検出手段が前記突出部の押し込み操作を所定時間内に所定回数以上検出した場合に作動して防犯動作を行う防犯動作手段と、を備えることを特徴としている。
【００１５】
また、本発明の防犯機能付き携帯端末装置は、本体ケースと、電波を送受信するアンテナと、常態において前記アンテナの一部が前記本体ケース外に突出した突出部となるように、前記アンテナを前記本体ケース外に向けて付勢する付勢手段と、前記付勢手段による付勢に抗して前記突出部が前記本体ケース内に押し込み操作されたことを検出する検出手段と、前記検出手段が前記突出部の押し込み操作を所定時間以上連続して検出した後で該押し込み操作が解除された場合に作動して防犯動作を行う防犯動作手段と、を備えることを特徴としている。
【００１６】
また、本発明の防犯機能付き携帯端末装置は、本体ケースと、電波を送受信するアンテナと、常態において前記アンテナの一部が前記本体ケース外に突出した突出部となるように、前記アンテナを前記本体ケース外に向けて付勢する付勢手段と、前記付勢手段による付勢に抗して前記突出部が前記本体ケース内に押し込み操作されたことを検出する検出手段と、前記押し込み操作を含む所定の操作がなされた場合に作動して防犯動作を行う防犯動作手段と、を備えることを特徴としている。ここで、「前記押し込み操作を含む所定の操作」とは、単にアンテナの突出部の押し込み操作であっても良い。
【００１７】
また、本発明の防犯機能付き携帯端末装置は、本体ケースと、電波を送受信するアンテナと、常態において前記アンテナの一部が前記本体ケース外に突出した突出部となるように、前記アンテナを前記本体ケース外に向けて付勢する付勢手段と、前記付勢手段による付勢に抗して前記突出部が前記本体ケース内に第１押込量だけ押し込み操作されたことを検出する第１検出手段と、前記第１検出手段による検出状態の継続時間を計時するタイマと、前記第１押込量よりも多い第２押込量だけ前記付勢手段による付勢に抗して前記突出部が押し込み操作されたことを検出する第２検出手段と、前記タイマにより所定時間以上の前記継続時間が計時された後で前記第２検出手段により前記第２押込量の押し込み操作が検出された場合に作動して防犯動作を行う防犯動作手段と、を備えることを特徴としている。
【００１８】
また、本発明の防犯機能付き携帯端末装置は、本体ケースと、電波を送受信するアンテナと、常態において前記アンテナの一部が前記本体ケース外に突出した突出部となるように、前記アンテナを前記本体ケース外に向けて付勢する付勢手段と、前記付勢手段による付勢に抗して前記突出部が前記本体ケース内に第１押込量だけ押し込み操作されたことを検出する第１検出手段と、前記第１検出手段による検出状態の継続時間を計時するタイマと、前記第１押込量よりも多い第２押込量だけ前記付勢手段による付勢に抗して前記突出部が押し込み操作されたことを検出する第２検出手段と、前記タイマにより所定時間以上の前記継続時間が計時された後で前記突出部の押し込み操作が解除されるという第１条件か、前記第２検出手段により前記第２押込量の押し込み操作が検出されるという第２条件が成立した場合に作動して防犯動作を行う防犯動作手段と、を備えることを特徴としている。
【００１９】
また、本発明の防犯機能付き携帯端末装置は、本体ケースと、電波を送受信するアンテナと、常態において前記アンテナの一部が前記本体ケース外に突出した突出部となるように、前記アンテナを前記本体ケース外に向けて付勢する付勢手段と、前記付勢手段による付勢に抗して前記突出部が前記本体ケース内に第１押込量だけ押し込み操作されたことを検出する第１検出手段と、前記第１押込量よりも多い第２押込量だけ前記付勢手段による付勢に抗して前記突出部が押し込み操作されたことを検出する第２検出手段と、前記第１押込量の押し込み操作と前記第２押込量の押し込み操作とを組み合わせた操作を含む所定の操作がなされた場合に作動して防犯動作を行う防犯動作手段と、を備えることを特徴としている。ここで、「前記第１押込量の押し込み操作と前記第２押込量の押し込み操作とを組み合わせた操作を含む所定の操作」とは、単に、前記第１押込量の押し込み操作と前記第２押込量の押し込み操作とを組み合わせた操作であっても良い。
【００２０】
本発明の防犯機能付き携帯端末装置においては、前記第１検出手段は、前記第１押込量だけ押し込み操作された際に相互に導通される一対の接点を備えて構成され、前記第２検出手段は、前記第２押込量だけ押し込み操作された際に相互に導通される一対の接点を備えて構成され、前記アンテナは、前記第１押込量だけ押し込み操作された際には前記第１検出手段の一対の接点を相互に導通させる一方で、前記第２押込量だけ押し込み操作された際には前記第２検出手段の一対の接点を相互に導通させる導電部を備えて構成されていることを好ましい例とする。
【００２１】
この場合、前記第１検出部の一対の接点のうちの一方の接点と、前記第２検出部の一対の接点のうちの一方の接点とは、同一の接点により構成することができる。
【００２２】
また、本発明の防犯機能付き携帯端末装置は、使用者に操作される操作部と、前記操作部に含まれる防犯動作用操作部が操作されたことを検出する検出手段と、前記検出手段が前記防犯動作用操作部の操作を所定時間以上連続して検出した後で該操作が解除された場合に作動して防犯動作を行う防犯動作手段と、を備えることを特徴としている。
【００２３】
本発明の防犯機能付き携帯端末装置においては、前記所定回数を使用者が任意に設定する操作を行うことが可能に構成されていることが好ましい。
【００２４】
本発明の防犯機能付き携帯端末装置においては、前記所定時間を使用者が任意に設定する操作を行うことが可能に構成されていることが好ましい。
【００２５】
本発明の防犯機能付き携帯端末装置においては、前記防犯動作手段は、アラーム音を発する防犯ブザーを備えて構成されていることが好ましい。
【００２６】
本発明の防犯機能付き携帯端末装置においては、前記防犯動作手段は、予め登録された通知先宛の通話を自動的に開始する自動通話開始手段を備えて構成されていることが好ましい。
【００２７】
本発明の防犯機能付き携帯端末装置においては、前記防犯動作手段は、予め登録された通知先宛に自動的に電子メールを送信する自動メール送信手段を備えて構成されていることが好ましい。
【００２８】
本発明の防犯機能付き携帯端末装置においては、前記通知先を使用者が任意に設定する操作を行うことが可能に構成されていることが好ましい。
【００２９】
本発明の防犯機能付き携帯端末装置においては、前記防犯動作手段は、複数種類の防犯動作を実行可能に構成され、当該防犯機能付き携帯端末装置は、前記複数種類の防犯動作のうちの何れの防犯動作を作動させるかを使用者が任意に設定する操作を行うことが可能に構成されていることが好ましい。
【００３０】
本発明の防犯機能付き携帯端末装置においては、前記防犯動作手段を作動停止させる作動停止手段をさらに備えることが好ましい。
【００３１】
本発明の防犯機能付き携帯端末装置においては、前記作動停止手段は、暗証番号が入力操作された場合に前記防犯動作手段を作動停止させることを好ましい例とする。
【００３２】
本発明の防犯機能付き携帯端末装置においては、前記防犯動作手段を作動停止させる作動停止手段をさらに備え、前記作動停止手段は、前記検出手段が前記突出部の押し込み操作を所定時間以上連続して検出した場合に前記防犯動作手段を作動停止させることも好ましい例とする。
【００３３】
本発明の防犯機能付き携帯端末装置においては、前記防犯動作手段を作動停止させる作動停止手段をさらに備え、前記作動停止手段は、前記突出部の押し込み操作を含む所定の停止操作がなされた場合に前記防犯動作手段を作動停止させることも好ましい例とする。
【００３４】
本発明の防犯機能付き携帯端末装置においては、前記防犯動作手段を作動停止させる作動停止手段をさらに備え、前記作動停止手段は、前記第１押込量の押し込み操作と前記第２押込量の押し込み操作とを組み合わせた操作を含む所定の停止操作がなされた場合に前記防犯動作手段を作動停止させることも好ましい。
【００３５】
本発明の防犯機能付き携帯端末装置においては、前記所定の停止操作を使用者が任意に設定する操作を行うことが可能に構成されていることも好ましい。
【００３６】
本発明の防犯機能付き携帯端末装置においては、前記検出手段が前記押し込み操作を所定時間以上連続して検出した場合であっても、該押し込み操作が解除される前に所定の停止操作が行われた場合には、前記防犯動作手段は作動しないことも好ましい。
【００３７】
本発明の防犯機能付き携帯端末装置においては、前記タイマにより所定時間以上の前記継続時間が計時された場合であっても、前記突出部の押し込み操作が解除される前に所定の停止操作が行われた場合には、前記防犯動作手段は作動しないことも好ましい。
【００３８】
本発明の防犯機能付き携帯端末装置においては、前記検出手段が前記操作を所定時間以上連続して検出した場合であっても、該操作が解除される前に所定の停止操作が行われた場合には、前記防犯動作手段は作動しないことも好ましい。
【００３９】
本発明の防犯機能付き携帯端末装置においては、前記防犯動作手段は、少なくとも第１及び第２の２種類の防犯動作を実行可能に構成され、このうち第１の防犯動作は前記アンテナの押し込み操作に基づき実行され、第２の防犯動作は前記アンテナ以外の操作部の操作に基づき実行されることも好ましい。
【００４０】
本発明の防犯機能付き携帯端末装置においては、電源としての電池と、前記電池を当該防犯機能付き携帯端末装置の本体ケースより脱落防止させる電池カバーと、を備え、前記電池カバーは前記本体ケースに止着されることが好ましい。
【００４１】
本発明の防犯機能付き携帯端末装置においては、前記防犯動作手段の動作用に専用の防犯動作手段専用電池を備えることが好ましい。
【００４２】
本発明の防犯機能付き携帯端末装置においては、前記防犯動作手段は、前記自動通話開始手段により開始された通話の際に当該防犯機能付き携帯端末装置の位置情報を通知する位置情報通知手段を備えることが好ましい。
【００４３】
本発明の防犯機能付き携帯端末装置においては、前記防犯動作手段は、前記自動メール送信手段により送信される電子メールにて当該防犯機能付き携帯端末装置の位置情報を通知する位置情報通知手段を備えることが好ましい。
【００４４】
本発明の防犯機能付き携帯端末装置は、ＧＰＳ機能を備え、前記位置情報通知手段は前記ＧＰＳ機能により認識される位置情報を通知することが好ましい。
【００４５】
本発明の防犯機能付き携帯端末装置は、例えば携帯電話機からなることを好ましい例とする。
【発明の効果】
【００４６】
本発明によれば、検出手段がアンテナの突出部の押し込み操作を所定時間内に所定回数以上検出した場合に作動して防犯動作を行う防犯動作手段を備えるので、アンテナの突出部の押し込み操作を所定時間内に所定回数以上行うことにより防犯動作手段を作動させることができる。よって、とっさの場合でも片手で容易かつ確実に防犯機能を作動させることができる。また、携帯端末装置が鞄やポケットの中にある状態であっても、手探りで容易にアンテナの突出部を操作することができる。また、所定時間内に所定回数以上アンテナの突出部の押し込み操作を検出した場合にのみ防犯機能が作動するので、好適に誤動作を防止することができる。更に、通常の使用状態・携帯状態（非常事態でない場合）ではアンテナの突出部が押し込まれないような強力な付勢手段を用いることにより、通常の使用状態・携帯状態における誤動作をより好適に防止することができる。更に、通常の操作では使用することがないアンテナを防犯機能を作動させるための操作部として用いるので、通常の使用状態・携帯状態における誤動作を好適に防止することができる。
【００４７】
また、本発明によれば、検出手段がアンテナの突出部の押し込み操作を所定時間以上連続して検出した後で該押し込み操作が解除された場合に作動して防犯動作を行う防犯動作手段を備えるので、アンテナの突出部の押し込み操作を所定時間以上連続的に行った後で該押し込み操作を解除することにより防犯動作手段を作動させることができる。よって、例えば予め危険を予知できるような場合にアンテナの突出部の押し込み操作を続けておき、万一実際に危険がせまった場合に該押し込み操作を解除することにより、片手で容易かつ確実に防犯機能を作動させることができる。また、携帯端末装置が鞄やポケットの中にある状態であっても、手探りで容易にアンテナの突出部を操作することができる。また、所定時間以上連続的にアンテナの突出部の押し込み操作を検出した後で該押し込み操作が解除された場合にのみ防犯機能が作動するので、好適に誤動作を防止することができる。更に、通常の使用状態・携帯状態（非常事態でない場合）ではアンテナの突出部が押し込まれないような強力な付勢手段を用いることにより、通常の使用状態・携帯状態における誤動作をより好適に防止することができる。更に、通常の操作では使用することがないアンテナを防犯機能を作動させるための操作部として用いるので、通常の使用状態・携帯状態における誤動作を好適に防止することができる。
【００４８】
また、本発明によれば、アンテナの突出部の押し込み操作を含む所定の操作がなされた場合に作動して防犯動作を行う防犯動作手段を備えるので、該所定の操作を行うことにより防犯動作手段を作動させることができる。よって、例えば、防犯動作手段を作動させるのに必要な操作のうちアンテナの突出部の押し込み操作以外の操作も片手で容易に行うことができるような操作とすることにより、或いは、「アンテナの突出部の押し込み操作を含む所定の操作」を単にアンテナの突出部の押し込み操作とすることにより、とっさの場合でも片手で容易かつ確実に防犯機能を作動させることができる。また、通常の使用状態・携帯状態（非常事態でない場合）ではアンテナの突出部が押し込まれないような強力な付勢手段を用いることにより、通常の使用状態・携帯状態における誤動作をより好適に防止することができる。更に、通常の操作では使用することがないアンテナを防犯機能を作動させるための操作部として用いるので、通常の使用状態・携帯状態における誤動作を好適に防止することができる。
【００４９】
また、本発明によれば、アンテナの突出部を第１押込量だけ押し込む操作の継続時間が所定時間以上となった後でアンテナの突出部を第２押込量だけ押し込む操作が検出された場合に作動して防犯動作を行う防犯動作手段を備えるので、アンテナの突出部を第１押込量だけ押し込む操作を所定時間だけ継続した後でアンテナの突出部を第２押込量だけ押し込む操作を行うことにより防犯動作手段を作動させることができる。よって、例えば予め危険を予知できるような場合に第１押込量の押し込み操作を続けておき、万一実際に危険がせまった場合に第２押込量の押し込み操作を行うことにより、片手で容易かつ確実に防犯機能を作動させることができる。また、携帯端末装置が鞄やポケットの中にある状態であっても、手探りで容易にアンテナの突出部を操作することができる。また、アンテナの突出部を第１押込量だけ押し込む操作の継続時間が所定時間以上となった後でアンテナの突出部を第２押込量だけ押し込む操作が検出された場合にのみ防犯機能が作動するので、好適に誤動作を防止することができる。更に、通常の使用状態・携帯状態（非常事態でない場合）ではアンテナの突出部が押し込まれないような強力な付勢手段を用いることにより、通常の使用状態・携帯状態における誤動作をより好適に防止することができる。更に、通常の操作では使用することがないアンテナを防犯機能を作動させるための操作部として用いるので、通常の使用状態・携帯状態における誤動作を好適に防止することができる。
【００５０】
また、本発明によれば、アンテナの突出部を第１押込量だけ押し込む操作の継続時間が所定時間以上となった後で該押し込み操作が解除されるという第１条件か、アンテナの突出部を第２押込量だけ押し込む操作が検出されるという第２条件が成立した場合に作動して防犯動作を行う防犯動作手段を備えるので、アンテナの突出部を第１押込量だけ押し込み操作を所定時間だけ継続した後で該押し込み操作を解除するという第１操作か、又は、アンテナの突出部を第２押込量だけ押し込むという第２操作を行うことにより、防犯動作手段を作動させることができる。よって、例えば予め危険を予知できるような場合に第１押込量の押し込み操作を続けておき、万一実際に危険がせまった場合に該押し込み操作を解除することにより、片手で容易かつ確実に防犯機能を作動させることができる。或いは、とっさの場合にはアンテナの突出部を第２押込量だけ押し込む操作を行うことにより、片手で容易かつ確実に防犯機能を作動させることができる。また、携帯端末装置が鞄やポケットの中にある状態であっても、手探りで容易にアンテナの突出部を操作することができる。また、アンテナの突出部を第１押込量だけ押し込む操作の継続時間が所定時間以上となった後で該押し込み操作が解除されるか、又は、アンテナの突出部を第２押込量だけ押し込む操作が検出された場合にのみ防犯機能が作動するので、好適に誤動作を防止することができる。更に、通常の使用状態・携帯状態（非常事態でない場合）ではアンテナの突出部が押し込まれないような強力な付勢手段を用いることにより、通常の使用状態・携帯状態における誤動作をより好適に防止することができる。更に、通常の操作では使用することがないアンテナを防犯機能を作動させるための操作部として用いるので、通常の使用状態・携帯状態における誤動作を好適に防止することができる。
【００５１】
また、本発明によれば、アンテナの突出部を第１押込量だけ押し込む操作と第２押込量だけ押し込む操作とを組み合わせた操作を含む所定の操作がなされた場合に作動して防犯動作を行う防犯動作手段を備えるので、該所定の操作を行うことにより防犯動作手段を作動させることができる。よって、例えば、防犯動作手段を作動させるのに必要な操作のうちアンテナの突出部の押し込み操作以外の操作も片手で容易に行うことができるような操作とすることにより、或いは、「第１押込量の押し込み操作と第２押込量の押し込み操作とを組み合わせた操作を含む所定の操作」を単に第１押込量の押し込み操作と第２押込量の押し込み操作とを組み合わせた操作とすることにより、片手で容易かつ確実に防犯機能を作動させることができる。また、通常の使用状態・携帯状態（非常事態でない場合）ではアンテナの突出部が押し込まれないような強力な付勢手段を用いることにより、通常の使用状態・携帯状態における誤動作をより好適に防止することができる。更に、通常の操作では使用することがないアンテナを防犯機能を作動させるための操作部として用いるので、通常の使用状態・携帯状態における誤動作を好適に防止することができる。
【００５２】
また、本発明によれば、検出手段が防犯動作用操作部の操作を所定時間以上連続して検出した後で該操作が解除された場合に作動して防犯動作を行う防犯動作手段を備えるので、防犯動作用操作部の操作を所定時間以上連続的に行った後で該操作を解除することにより防犯動作手段を作動させることができる。よって、例えば予め危険を予知できるような場合に防犯動作用操作部の操作を続けておき、万一実際に危険がせまった場合に該操作を解除することにより、片手で容易かつ確実に防犯機能を作動させることができる。また、所定時間以上連続的に防犯動作用操作部の操作を検出した後で該操作が解除された場合にのみ防犯機能が作動するので、好適に誤動作を防止することができる。
【００５３】
また、本発明によれば、防犯動作手段を作動停止させる作動停止手段を備える場合に、例えば、暗証番号が入力操作された場合に防犯動作手段を作動停止させる構成とすることにより、犯人による防犯機能の停止操作を困難にすることができる。
【００５４】
或いは、本発明によれば、防犯動作手段を作動停止させる作動停止手段を備える場合に、例えば、検出手段がアンテナの突出部の押し込み操作を所定時間以上連続して検出した場合に防犯動作手段を作動停止させる構成とすることにより、そのような操作は犯人は想到しにくいため、犯人による防犯機能の停止操作を困難にすることができる。
【００５５】
或いは、本発明によれば、防犯動作手段を作動停止させる作動停止手段を備える場合に、アンテナの突出部の押し込み操作を含む所定の停止操作がなされた場合に防犯動作手段を作動停止させる構成とすることにより、そのような操作は犯人は想到しにくいため、犯人による防犯機能の停止操作を困難にすることができる。
【００５６】
或いは、本発明によれば、防犯動作手段を作動停止させる作動停止手段を備える場合に、アンテナの突出部の第１押込量の押し込み操作と第２押込量の押し込み操作とを組み合わせた操作を含む所定の停止操作がなされた場合に防犯動作手段を作動停止させる構成とすることにより、そのような操作は犯人は想到しにくいため、犯人による防犯機能の停止操作を困難にすることができる。
【００５７】
或いは、本発明によれば、防犯動作手段を作動停止させるための所定の停止操作をどのような操作にするかを、使用者が任意に設定可能に構成することにより、犯人による防犯機能の停止操作を更に困難にすることができる。
【００５８】
また、本発明によれば、電源としての電池を脱落防止させる電池カバーを本体ケースに止着する構成とすることにより、犯人による防犯機能の停止を更に困難にすることができる。
【００５９】
加えて、本発明によれば、防犯動作手段の動作用に専用の防犯動作手段専用電池を備えることにより、通常使用時の電池が犯人によって外された場合にも、防犯機能の実行を継続することが可能となる。
【発明を実施するための最良の形態】
【００６０】
以下、図面を参照して、本発明に係る実施形態について説明する。本実施形態では、本発明に係る防犯機能付き携帯端末装置の適例としての防犯機能付き携帯電話機について説明する。
【００６１】
〔第１の実施形態〕
図１は本実施形態に係る防犯機能付き携帯電話機１００のブロック図である。
【００６２】
図１に示すように、防犯機能付き携帯電話機１００は、電波の送受信を行い、後述するように防犯機能を作動させるための操作部としても機能するアンテナ１０１と、電波の送受信を制御する送受信部１０２と、電話番号の入力や機能選択などの各種操作を行うための操作部１０８と、現在時刻やその他の各種表示を行う表示部１０４と、着信音や防犯用のアラーム音などの鳴動動作を行う鳴動部（つまり防犯ブザーとしても機能する）１０７と、電源としての電池１０９と、電話番号その他の各種登録情報やプログラムを記憶する記憶部１０６と、非常事態の際の使用者によるアンテナ１０１の操作を検出する非常事態検出部１０５と、記憶部１０６に記憶されたプログラムに従って各構成要素を統括制御する制御部１０３と、を備えて構成される。
【００６３】
図２は防犯機能付き携帯電話機１００の外観を示す斜視図である。
【００６４】
図２に示すように、防犯機能付き携帯電話機１００は、該防犯機能付き携帯電話機１００の外形を構成する本体ケース２０１を備えている。
【００６５】
この本体ケース２０１内には、送受信部１０２、操作部１０８の操作を検出する検出部（図示略）、表示部１０４、鳴動部１０７、記憶部１０６、非常事態検出部１０５及び制御部１０３が設けられている。
【００６６】
ここで、鳴動部１０７は、その発音を本体ケース２０１外部に好適に到達させるため、例えば、本体ケース２０１に形成された複数の孔部を介して外部と連通されていることが好ましい。
【００６７】
また、表示部１０４の表示画面は本体ケース２０１外より視認可能に設けられ、操作部１０８は本体ケース２０１の表面に配されて該本体ケース２０１の外部より操作可能とされ、電池１０９は本体ケース２０１内に収納されるようになっている。
【００６８】
防犯機能付き携帯電話機１００は、更に、本体ケース２０１内に収納された電池１０９が本体ケース２０１から脱落するのを防止する電池カバー２０２を備えている。この電池カバー２０２は、例えば、ネジ２０３などの止着部材により本体ケース２０１に止着されている。
【００６９】
また、アンテナ１０１の一部は、常態において本体ケース２０１外に突出した突出部１０１ａとされ、残りの一部は本体ケース２０１内に配されている。
【００７０】
図３はアンテナ１０１の配置構造の一例を説明するための要部を示す分解正面図である。
【００７１】
図３に示すように、防犯機能付き携帯電話機１００は、常態（図３（ａ）の状態に相当）においてアンテナ１０１の突出部１０１ａが本体ケース２０１外に突出した状態となるように、アンテナ１０１を本体ケース２０１外に向けて付勢するコイルスプリング（付勢手段）６０２と、コイルスプリング６０２による付勢に抗して突出部１０１ａが本体ケース２０１内に押し込み操作されたことを検出する検出スイッチ（検出手段）６０３と、を備えている。
【００７２】
ここで、本体ケース２０１内には、アンテナ１０１を該アンテナ１０１の軸方向に進退可能な状態で保持する枠部６０４が固定的に設けられている。
【００７３】
すなわち、枠部６０４には、アンテナ１０１が挿通される挿通孔６０４ａが形成され、この挿通孔６０４ａ内に挿通された状態でアンテナ１０１はその軸方向（図３の矢印Ａ方向及びＢ方向）に移動可能とされている。
【００７４】
ここで、アンテナ１０１は、枠部６０４の挿通孔６０４ａよりも大径となるように該アンテナ１０１の軸周りに（例えば円板状に）膨出した脱落防止部６０５を備え、枠部６０４からの脱落（矢印Ａ方向への脱落）が防止されている。
【００７５】
更に、アンテナ１０１は、突出部１０１ａが本体ケース２０１内に押し込み操作された際に検出スイッチ６０３を押圧するスイッチ押圧部６０６を備えている。
【００７６】
なお、このスイッチ押圧部６０６は、本実施形態の場合、例えば、脱落防止部６０５と共通の部分により構成されているが、この例に限らず、スイッチ押圧部６０６は、脱落防止部６０５とは別個に構成しても良い。
【００７７】
また、検出スイッチ６０３は、例えばプッシュ型スイッチにより構成されている。
【００７８】
更に、コイルスプリング６０２は、軽い押圧力では縮まず、ある程度強い力で押圧された場合にのみ縮むような適当な強度に設定されている。
【００７９】
このコイルスプリング６０２は、アンテナ１０１に外挿されているとともに、該アンテナ１０１の先端部６０１（先端部６０１は突出部１０１ａを含む）と枠部６０４との間に圧縮状態で配されている。
【００８０】
従って、アンテナ１０１の突出部１０１ａが強い力で押し込み操作されると、突出部１０ａがコイルスプリング６０２による付勢に抗して本体ケース２０１内に進入するとともに、スイッチ押圧部６０６が検出スイッチ６０３を押圧するので、該検出スイッチ６０３がスイッチ押圧部６０６を検出する（図３（ａ）→図３（ｂ）の動作）。
【００８１】
図４は非常事態検出部１０５の詳細を示すブロック図である。
【００８２】
図４に示すように、非常事態検出部１０５は、上記の検出スイッチ６０３と、該検出スイッチ６０３がアンテナ１０１の押し込みを検出した場合に起動するタイマ部２０２と、該タイマ部２０２からの通知を受けて警報起動信号２０４を生成し制御部１０３に送信する判定部２０３と、を備えて構成される。
【００８３】
本実施形態の場合、非常事態検出部１０５は、具体的には、例えば、アンテナ１０１の突出部１０１ａの押し込み操作を所定時間内に所定回数以上検出した場合に、警報起動信号２０４を生成し制御部１０３に送信する。
【００８４】
ここで、防犯機能付き携帯電話機１００は、非常事態検出部１０５が警報起動信号２０４を生成する条件となるアンテナ１０１の突出部１０１ａの押し込み操作回数（上記所定回数）及び上記所定時間を、使用者が任意に設定する操作を行うことができるようになっている。
【００８５】
従って、非常事態検出部１０５は、予め使用者による設定操作により登録された時間内に該登録された回数以上アンテナ１０１の突出部１０１ａの押し込み操作を検出した場合に、警報起動信号２０４を生成し制御部１０３に送信する。
【００８６】
なお、上記所定回数及び上記所定時間の設定操作は、表示部１０６の表示を確認しながら操作部１０８を操作することにより実行できるようになっている。また、それらの設定は記憶部１０６にて記憶保持されるようになっている。
【００８７】
また、使用者による上記所定回数及び上記所定時間の設定操作がなされていない場合にも防犯機能を実行可能となるように、上記所定回数及び上記所定時間は、該防犯機能付き携帯電話機１００の生産時に予め登録されているものとする。
【００８８】
制御部１０３は、警報起動信号２０４を受信すると、防犯機能を作動する。この防犯機能としては、例えば、鳴動部１０７よりアラーム音を発音する機能、予め登録された通知先宛の通話を自動的に開始する機能、及び、該通知先宛の電子メール送信を自動的に行う機能などが含まれる。ここで、これら通知先についても、使用者が任意に設定操作することにより、記憶部１０６に記憶保持させることができるようになっている。
【００８９】
また、防犯機能（例えば防犯ブザーの鳴動動作）の停止操作は、例えば、操作部１０８を操作して暗証番号を入力することによりなされるようになっている。この暗証番号も、使用者が任意に設定する操作を行うことができるようになっている。
【００９０】
次に、防犯機能付き携帯電話機１００の動作を説明する。
【００９１】
図５は防犯機能付き携帯電話機１００の主要な制御を示すフローチャートである。
【００９２】
図５に示すように、先ず、非常事態検出部１０５が、アンテナ１０１の突出部１０１ａの押し込み操作がなされたか否かを判定する（ステップＳ１）。すなわち、具体的には、例えば、非常事態検出部１０５のタイマ部２０２が、検出スイッチ６０３がアンテナ１０１の押し込みを検出したか否かを判定する。このステップＳ１は、検出スイッチ６０３がアンテナ１０１の押し込みを検出するまで繰り返し行われる。
【００９３】
検出スイッチ６０３がアンテナ１０１の押し込みを検出すると（ステップＳ１のＹＥＳ）、つまり検出スイッチ６０３が導通状態となると、タイマ部２０２が起動し、予め設定された所定時間（例えば２秒）の計時を開始するととともに、タイマ部２０２が起動したことを判定部２０３に通知する（ステップＳ２）。
【００９４】
その後、タイマ部２０２による計時がタイムアウトしたか否かの判定（ステップＳ３）を行いながら、再度アンテナ１０１の突出部１０１ａが押し込まれたか否かの判定を行い（ステップＳ４）、タイムアウトする前に再度押し込み操作がなされた場合（ステップＳ４のＹＥＳ）のみタイマ部２０２が再び判定部２０３への通知を行う。
【００９５】
判定部２０３では、警報起動信号２０４を生成条件が成立したか否か、すなわち、本実施形態の例では、２秒以内にアンテナ１０１が２回以上押し込まれたか否かを判定し、条件が成立している場合には警報起動信号２０４を制御部１０３に送信する。なお、この警報起動信号２０４は、例えば割り込み信号として制御部１０３に通知することが挙げられる。制御部１０３では警報作動信号２０４を検出した場合に防犯機能を作動開始する（ステップＳ５）。
【００９６】
防犯機能の具体的な動作例としては、例えば、防犯用ブザーとして最大音量にて鳴動部１０７より防犯アラーム音を鳴動させることにより、犯人を動揺させると共に周囲に非常事態を通知して助けを求めることができるようになっている。
【００９７】
加えて、予め操作部１０８から非常時の通知先の電話番号、例えば１１０番や自宅の電話番号を入力しておき、記憶部１０６に保存しておけば、制御部１０３は送受信部１０２を制御して非常時の通知先宛に自動発呼して通知することができる。この際、通知先の電話口では防犯ブザーの鳴動や使用者の悲鳴などが聞こえるため、該通知先の電話に出た人は非常事態を認識することができる。
【００９８】
ここで、この通話の際には、防犯機能付き携帯電話機１００の位置情報の通知も併せて行うことが好ましい。具体的には、例えば、防犯機能付き携帯電話機１００にＧＰＳ（Ｇｌｏｂａｌ  Ｐｏｓｉｔｉｏｎｉｎｇ  Ｓｙｓｔｅｍ）機能を搭載しておき、該ＧＰＳ機能により取得される当該防犯機能付き携帯電話機１００の位置情報を、例えば音声により通知することが挙げられる。
【００９９】
また、メール機能を有している携帯電話機の場合には、予め登録しておいたメールアドレス宛への自動的なメール発信により、例えば定形の“ＨＥＬＰ”や“助けて”のメッセージを通知する。
【０１００】
この通知の際にも、防犯機能付き携帯電話機１００の位置情報の通知を併せて行うことが好ましい。この場合、送信する電子メールに位置情報を文字データとして添付すれば良い。
【０１０１】
逆に、防犯機能を停止する場合は、容易に停止できては犯人に止められてしまう可能性があるため、予め登録された所定の暗証番号を操作部１０８の操作により入力する停止操作が行われたか否かを判定（ステップＳ６）し、所定の停止操作が行われた場合のみ防犯機能動作を停止する（ステップＳ７）。
【０１０２】
以上のような第１の実施形態によれば、アンテナ１０１の突起部１０１ａの押し込み操作することにより防犯機能を作動させることができるので、とっさの場合でも片手で容易かつ短時間に、確実に防犯機能を作動させることができる。
【０１０３】
また、防犯機能付き携帯電話機１００が鞄やポケットの中にある状態であっても、手探りで容易にアンテナ１０１の突出部１０１ａを操作することができる。
【０１０４】
また、通常の操作では使用することがないアンテナ１０１を防犯機能を作動させるための操作部として用いるので、通常の使用状態・携帯状態における誤動作を好適に防止することができる。
【０１０５】
更に、通常の使用状態・携帯状態（非常事態でない場合）ではアンテナ１０１が押し込まれないような強力なコイルスプリング６０２を用いることにより、通常の使用状態・携帯状態における誤動作をより好適に防止することができる。
【０１０６】
加えて、予め設定した所定の時間（例えば２秒）内に所定回数（例えば２回）以上アンテナ１０１の押し込み操作を検出した場合にのみ防犯機能が作動するので、より確実に誤動作を防止することができる。
【０１０７】
また、携帯電話機１００に本来備わっているアンテナ１０１を防犯機能を作動させるための操作部として用いるので、携帯電話機１００に防犯機能を作動させるための専用の操作部を設ける必要がない。よって、携帯電話機１００の外観・デザインを変更する必要がない。
【０１０８】
また、容易に電池が外れないよう電池カバー２０２をネジ固定式としているので、防犯ブザーの鳴動時に犯人により電池１０９が外されて防犯動作が停止してしまう可能性を低減することができる。
【０１０９】
また、防犯機能を停止させる操作としては、例えば、暗証番号の入力を適用しているので、犯人は容易に防犯機能を停止することができない。
【０１１０】
なお、上記の第１の実施形態においては、検出スイッチ６０３がアンテナ１０１の突出部１０１ａの押し込み操作を所定時間内に所定回数以上検出した場合に防犯機能が作動する例を説明したが、防犯機能を作動させるための操作はこの例に限らない。
【０１１１】
例えば、アンテナ１０１の突出部１０１ａの押し込み操作を所定時間以上連続的に行った後で該押し込み操作が解除された場合に防犯機能が作動するようにしても良い。この場合、例えば予め危険を予知できるような場合にアンテナ１０１の突出部１０１ａの押し込み操作を続けておき、万一実際に危険がせまった場合に該押し込み操作を解除することにより、片手で容易かつ確実に防犯機能を作動させることができる。なお、この場合、検出スイッチ６０３がアンテナ１０１の突出部１０１ａの押し込み操作を所定時間以上連続して検出した場合であっても、該押し込み操作が解除される前に所定の停止操作（例えば、終話ボタンを押しながら該押し込み操作を解除するなど）が行われた場合には、防犯機能は作動しないように構成することが好ましく、このようにすることにより、結果的に防犯機能を作動させる必要がなかった場合には防犯機能を作動させずに済む。
【０１１２】
或いは、アンテナ１０１の突出部１０１ａの押し込み操作を含む所定の操作（例えば、アンテナ１０１の突出部１０１ａの押し込み操作を行った後で特定の操作ボタンを押すという操作、或いは、特定の操作ボタンを押した後でアンテナ１０１の突出部１０１ａを押し込み操作するという操作など）がなされた場合に防犯機能が作動するようにしても良い。
【０１１３】
或いは、単にアンテナ１０１の突出部１０１ａの押し込み操作を１回だけ行うことにより防犯機能が作動するようにしても良い。
【０１１４】
〔第２の実施形態〕
図６は第２の実施形態に係る防犯機能付き携帯電話機４００を示す模式的な側面断面図である。
【０１１５】
第２の実施形態に係る防犯機能付き携帯電話機４００は、以下に説明する点でのみ第１の実施形態に係る防犯機能付き携帯電話機１００と異なり、その他の点では第１の実施形態に係る防犯機能付き携帯電話機１００と同様に構成されている。
【０１１６】
従って、以下では、防犯機能付き携帯電話機４００において、防犯機能付き携帯電話機１００におけるのと同様の構成要素には同一の符号を付し、その説明を省略する。
【０１１７】
第２の実施形態に係る防犯機能付き携帯電話機４００において、第１の実施形態に係る防犯機能付き携帯電話機１００と相違するのは、アンテナ１０１の構造、非常事態検出部１０５の構造、及び、非常事態検出部１０５の検出動作である。
【０１１８】
図６に示すように、第２の実施形態に係る防犯機能付き携帯電話機４００のアンテナ１０１は、表面が導電性の導電部１０１ｂと、表面が非導電性の非導電部１０１ｃと、を備えて構成されている。
【０１１９】
なお、第２の実施形態に係る防犯機能付き携帯電話機４００においても、第１の実施形態に係る防犯機能付き携帯電話機１００におけるのと同様に、常態（図６（ａ）の状態に相当）においてアンテナ１０１の突出部１０１ａが本体ケース２０１外に突出した状態となるように、該アンテナ１０１はコイルスプリング６０２により付勢されており、このコイルスプリング６０２（図６では図示略）の付勢に抗してアンテナ１０１の突出部１０１ａを本体ケース２０１内に押し込み操作することが可能とされている。
【０１２０】
また、図６に示すように、第２の実施形態に係る防犯機能付き携帯電話機４００の非常事態検出部１０５は、検出スイッチ６０３（図３及び図４）に代えて、第１接点４０１、第２接点４０２及び第３接点４０３を備えている。
【０１２１】
このうち、第１及び第２接点４０１，４０２は、コイルスプリング６０２による付勢に抗してアンテナ１０１の突出部１０１ａが本体ケース２０１内に第１押込量だけ押し込み操作された際（図６（ｂ）の状態時）に相互に導通される。すなわち、第１及び第２接点４０１，４０２は、このように相互に導通状態となることによりアンテナ１０１の突出部１０１ａが本体ケース２０１内に第１押込量だけ押し込み操作されたことを検出する第１検出手段を構成している。
【０１２２】
また、第２接点４０２及び第３接点４０３は、コイルスプリング６０２による付勢に抗してアンテナ１０１の突出部１０１ａが本体ケース２０１内に第１押込量よりも多い第２押込量だけ押し込み操作された際（図６（ｃ）の状態時）に相互に導通される。すなわち、第２及び第３接点４０２，４０３は、このように相互に導通状態となることによりアンテナ１０１の突出部１０１ａが本体ケース２０１内に第２押込量だけ押し込み操作されたことを検出する第２検出手段を構成している。
【０１２３】
なお、第２押込量は、例えば、アンテナ１０１の突出部１０１ａを最深部まで押し込んだ量に相当し、第１押込量は、例えば、第２押込量の半分程度の押し込み量であるものとする。
【０１２４】
ここで、図６においては、便宜的に、本体ケース２０１からのアンテナ１０１の突出量が誇張されているが、この突出量は適宜に設定し得る値であることは勿論である。
【０１２５】
図７は、第２の実施形態に係る防犯機能付き携帯電話機４００の非常事態検出部１０５を示すブロック図である。
【０１２６】
非常事態検出部１０５のタイマ部２０２は、第１検出手段（第１及び第２接点４０１，４０２）による検出状態の継続時間を計時する。
【０１２７】
また、判定部２０３は、タイマ部２０２により所定時間（例えば、１５秒。ただし、上記第１の実施形態におけるのと同様に、この所定時間は使用者が任意に設定することが可能となっている）以上の継続時間が計時された後で第２検出手段（第２及び第３接点４０２，４０３）により第２押込量の押し込み操作が検出された場合に、警報起動信号２０４を生成し制御部１０３に送信する。
【０１２８】
この警報起動信号２０４により、制御部１０３は、上記第１の実施形態の場合と同様に動作し、防犯動作を行う。
【０１２９】
以上のような第２の実施形態によれば、アンテナ１０１の突出部１０１ａを第１押込量だけ押し込む操作を所定時間だけ継続した後でアンテナ１０１の突出部１０１ａを第２押込量だけ押し込む操作を行うことにより防犯機能を作動させることができる。よって、例えば予め危険を予知できるような場合に第１押込量の押し込み操作を続けておき、万一実際に危険がせまった場合に第２押込量の操作を行うことにより、片手で容易かつ確実に防犯機能を作動させることができる。
【０１３０】
また、防犯機能付き携帯電話機４００が鞄やポケットの中にある状態であっても、手探りで容易にアンテナ１０１の突出部１０１ａを操作することができる。
【０１３１】
また、アンテナ１０１の突出部１０１ａを第１押込量だけ押し込む操作の継続時間が所定時間以上となった後でアンテナ１０１の突出部１０１ａを第２押込量だけ押し込む操作が検出された場合にのみ防犯機能が作動するので、好適に誤動作を防止することができる。
【０１３２】
更に、通常の使用状態・携帯状態（非常事態でない場合）ではアンテナ１０１が押し込まれないような強力なコイルスプリング６０２を用いることにより、通常の使用状態・携帯状態における誤動作をより好適に防止することができる。
【０１３３】
また、通常の操作では使用することがないアンテナ１０１を防犯機能を作動させるための操作部として用いるので、通常の使用状態・携帯状態における誤動作を好適に防止することができる。
【０１３４】
また、携帯電話機４００に本来備わっているアンテナ１０１を防犯機能を作動させるための操作部として用いるので、防犯機能を作動させるための専用の操作部を携帯電話機４００に新たに設ける必要がない。よって、携帯電話機４００の外観・デザインを変更する必要がない。
【０１３５】
また、容易に電池が外れないよう電池カバー２０２をネジ固定式としているので、防犯ブザーの鳴動時に犯人により電池１０９が外されて防犯動作が停止してしまう可能性を低減することができる。
【０１３６】
また、防犯機能を停止させる操作としては、例えば、暗証番号の入力を適用しているので、犯人は容易に防犯機能を停止することができない。
【０１３７】
なお、上記の第２の実施形態においては、アンテナ１０１の突出部１０１ａを第１押込量だけ押し込む操作を所定時間だけ継続した後でアンテナ１０１の突出部１０１ａを第２押込量だけ押し込む操作がなされた場合に防犯機能が作動する例を説明したが、防犯機能を作動させるための操作はこの例に限らない。
【０１３８】
例えば、アンテナ１０１の突出部１０１ａを第１押込量だけ押し込む操作を所定時間以上継続させた後で該押し込み操作を解除するという第１操作か、アンテナ１０１の突出部１０１ａを第２押込量だけ押し込むという第２操作か、の何れかの操作がなされた場合に防犯機能が作動するようにしても良い。この場合、例えば予め危険を予知できるような場合に第１押込量の押し込み操作を続けておき、万一実際に危険がせまった場合に該押し込み操作を解除することにより、片手で容易かつ確実に防犯機能を作動させることができる。或いは、とっさの場合には第２操作を行うだけでも、片手で容易かつ確実に防犯機能を作動させることができる。なお、この場合、アンテナ１０１の突出部１０１ａを第１押込量だけ押し込む操作が所定時間以上継続した場合であっても、該押し込み操作が解除される前に所定の停止操作（例えば、終話ボタンを押しながら該押し込み操作を解除するなど）が行われた場合には、防犯機能は作動しないように構成することが好ましく、このようにすることにより、結果的に防犯機能を作動させる必要がなかった場合には防犯機能を作動させずに済む。
【０１３９】
或いは、アンテナ１０１の突出部１０１ａを第１押込量だけ押し込む操作と第２押込量だけ押し込む操作とを組み合わせた操作を含む所定の操作（例えば、アンテナ１０１の突出部１０１ａを第１押込量だけ押し込む操作と第２押込量だけ押し込む操作と特定の操作ボタンの操作とを組み合わせた操作など）がなされた場合に防犯機能が作動するようにしても良い。
【０１４０】
或いは、単にアンテナ１０１の突出部１０１ａを第１押込量だけ押し込む操作と第２押込量だけ押し込む操作とを組み合わせた操作を行うことにより防犯機能が作動するようにしても良い。
【０１４１】
また、上記の第２の実施形態においては、１つの接点（第２接点４０２）を第１及び第２検出手段に共通使用する構成とすることにより、３つの接点（第１〜第３接点４０１〜４０３）により第１押込量の押し込み操作と第２押込量の押し込み操作を検出する例を説明したが、第１及び第２検出手段にそれぞれ別個に１対ずつの接点を設け、この４つの接点を用いて第１押込量の押し込み操作と第２押込量の押し込み操作を検出するようにしても良い。
【０１４２】
或いは、第１〜第３接点４０１〜４０３に代えて、第２接点４０２の位置に配された第１検出スイッチと、第３接点４０３の位置に配された第２検出スイッチを、を設け、このうち第１検出スイッチによりアンテナ１０１の先端位置を検出することにより第１押込量の押し込み操作を検出する一方で、第２検出スイッチによりアンテナ１０１の先端位置を検出することにより第２押込量の押し込み操作を検出するようにしても良い。
【０１４３】
〔第３の実施形態〕
図８は第３の実施形態に係る防犯機能付き携帯電話機の非常事態検出部１０５を示すブロック図である。
【０１４４】
第３の実施形態に係る防犯機能付き携帯電話機は、以下に説明する点でのみ第１の実施形態に係る防犯機能付き携帯電話機１００と異なり、その他の点では第１の実施形態に係る防犯機能付き携帯電話機１００と同様に構成されている。
【０１４５】
従って、以下では、第３の実施形態に係る防犯機能付き携帯電話機において、防犯機能付き携帯電話機１００におけるのと同様の構成要素には同一の符号を付し、その説明を省略する。
【０１４６】
本実施形態の場合、図８に示すように、防犯機能を作動させるための操作を、操作部１０８に含まれる特定の操作ボタン（防犯動作用操作部）５０１の操作により行う例を説明する。従って、本実施形態は、アンテナ部１０１が本体ケース２０１より突出していない構成の携帯電話機にも適用することができる。
【０１４７】
本実施形態の場合、タイマ部２０２は、操作ボタン５０１が操作されたことをその検出スイッチ５０２が検出している状態の継続時間を計時する。
【０１４８】
そして、タイマ部２０２は、その計時結果が予め設定した所定時間以上となった場合に、その旨を判定部２０３に通知する。なお、ここでの所定時間も、上記の各実施形態の場合と同様に、使用者が任意に設定することが可能となっている。
【０１４９】
更に、上記所定時間の経過後に操作ボタン５０１の操作が解除された場合に、判定部５０３が警報起動信号２０４を生成し制御部１０３に送信する。
【０１５０】
なお、検出スイッチ５０２が操作ボタン５０１の操作を上記所定時間以上連続して検出した場合であっても、該操作が解除される前に所定の停止操作（例えば、終話ボタンを押しながら該押し込み操作を解除するなど）が行われた場合には、防犯機能は作動しないように構成されている。
【０１５１】
以上のような第３の実施形態によれば、予め危険を予知できるような場合に操作ボタン５０１の操作を続けておき、万一実際に危険がせまった場合に該操作を解除することにより、片手で容易かつ確実に防犯機能を作動させることができる。また、所定時間以上連続的に操作ボタン５０１の操作を検出した後で該操作が解除された場合にのみ防犯機能が作動するので、好適に誤動作を防止することができる。
【０１５２】
なお、上記の各実施形態では、防犯機能として、防犯ブザーの鳴動、自動発呼による通話及びメール送信を行う例を説明したが、例えば、犯人に気づかれてしまう防犯ブザーの鳴動は行わずに、自動発呼による通話もしくはメール送信のみを行うことにより、犯人に気づかれないように非常事態の通知を行うようにしても良い。
【０１５３】
更に、上記の各実施形態では、防犯機能として実行する動作の種類が予め定められている例を説明したが、防犯機能として実行する動作の種類を使用者が任意に設定（選択）することが可能に構成しても良い。すなわち、例えば、防犯ブザーの鳴動、自動発呼による通話及びメール送信の３種類の防犯機能のうち、予め使用者の任意により設定された何れか１つ又は複数の機能のみを、防犯機能を作動させるための所定の操作が行われた場合に実行するようにしても良い。
【０１５４】
また、例えば、上記第１又は第２の実施形態と、上記第３の実施形態と、の構成を組み合わせることにより、以下に説明するような機能を実現することもできる。
【０１５５】
例えば、第１又は第２の実施形態で説明したようなアンテナ１０１の操作に基づき防犯機能を作動させた場合には、上記のように防犯ブザーの鳴動、自動発呼による通話及びメール送信を行う一方で、第３の実施形態で説明したような操作ボタン５０１の操作に基づき防犯機能を作動させた場合には、防犯ブザーの鳴動は行わず自動発呼による通話もしくはメール送信のみを行うようにすることができる。すなわち、防犯動作手段は、少なくとも第１及び第２の２種類の防犯動作を実行可能に構成されているとともに、このうち第１の防犯動作（例えば、防犯ブザーの鳴動、自動発呼による通話及びメール送信）はアンテナ１０１の突出部１０１ａの押し込み操作に基づき実行され、第２の防犯動作（例えば、防犯ブザーの鳴動は行わず自動発呼による通話もしくはメール送信のみ）はアンテナ１０１以外の操作部（例えば、操作ボタン５０１）の操作に基づき実行されるように構成することができる。このように構成した場合、例えば、周囲に人がいない場合や直接の危害がないような状況では、第２の防犯動作を行うことにより犯人に気づかれないように非常事態の通知を行うことができる一方で、周囲の人に助けを求める場合には第１の防犯動作を行うといったように、状況に合わせて防犯動作を選択することができる。
【０１５６】
また、上記の各実施形態では、防犯機能を停止させるための操作として、暗証番号入力を例示したが、防犯機能を停止させるための操作はこの例に限らない。
【０１５７】
例えば、上記の第１の実施形態の場合には、アンテナ１０１の突出部１０１ａの押し込み操作を所定時間（予め定められた時間、或いは、使用者の任意により設定された時間）以上連続して検出した場合に防犯機能を停止させるようにしても良い。
【０１５８】
或いは、上記の第１の実施形態の場合には、アンテナ１０１の突出部１０１ａの押し込み操作を含む所定の停止操作（例えば、アンテナ１０１の突出部１０１ａの押し込み操作を行った後で特定の操作ボタンを押すという操作、或いは、特定の操作ボタンを押した後でアンテナ１０１の突出部１０１ａを押し込み操作するという操作など）がなされた場合に防犯機能を停止させるようにしても良い。
【０１５９】
また、上記の第２の実施形態の場合における防犯機能の停止は、例えば、アンテナ１０１の突出部１０１ａを第１押込量だけ押し込む操作と第２押込量だけ押し込み操作とを組み合わせた操作を含む所定の停止操作がなされた場合に行うようにしても良い。ここでの所定の停止操作は、単にアンテナ１０１の突出部１０１ａを第１押込量だけ押し込む操作と第２押込量だけ押し込み操作とを組み合わせた操作であっても良いし、或いは、この組み合わせの操作に他の操作（例えば、特定の操作ボタンの操作）を付加した操作であっても良い。
【０１６０】
また、上記の第３の実施形態の場合における防犯機能の停止は、例えば、操作ボタン５０１が所定時間（予め定められた時間、或いは、使用者の任意により設定された時間）以上連続して操作された場合に行うようにしても良い。
【０１６１】
更に、防犯機能を停止させるための所定の停止操作（どの操作ボタンを操作するかなど）を使用者が任意に設定することが可能に構成しても良い。すなわち、使用者が独自に考え設定した操作がなされない限り、防犯機能が停止されない構成とすることによって、犯人による防犯機能の停止操作をより好適に防止することが可能となる。
【０１６２】
また、上記の各実施形態においては、電池カバー２０２をネジ止めにし、電池を外しにくい構成とすることにより犯人による防犯機能の停止を防止可能とする例を説明したが、防犯機能の動作用に専用の第２の電池を備えることにより防犯機能の停止を防止可能としても良い。すなわち、通常の使用状態での電源として機能し着脱可能な第１の電池（図１の電池１０９に相当）とは別個に、着脱不能に本体ケース２０１に内蔵され、防犯機能の動作用に専用の第２の電池（図示略）を備えることとしても良い。
【０１６３】
更に、上記の各実施形態では、図２に示すようにストレート型の携帯電話機に本発明を適用した例を説明したが、例えば図９に示すように折りたたみ型の携帯電話機に本発明を適用しても同様の効果が得られる。また、アンテナは、伸張可能なものであっても長さ（通常使用時のアンテナの長さ）が固定のものであっても良い（例えば、図３の例ではアンテナ１０１の長さが固定）。
【０１６４】
また、上記の各実施形態では、本発明に係る防犯機能付き携帯端末装置の好適な一例としての防犯機能付き携帯電話機についてのみ説明したが、本発明はこの例に限らず、例えば、ＰＨＳ、携帯型情報通信端末（ＰＤＡ）或いはその他の携帯端末装置にも同様に適用可能である。
【図面の簡単な説明】
【０１６５】
【図１】本発明の第１の実施形態に係る防犯機能付き携帯電話機を示すブロック図である。
【図２】図１の防犯機能付き携帯電話機の外観の一例を示す斜視図である。
【図３】図１の防犯機能付き携帯電話機のアンテナの配置構造を説明するための要部を示す分解正面図である。
【図４】図１の防犯機能付き携帯電話機の非常事態検出部を示すブロック図である。
【図５】図１の防犯機能付き携帯電話機の主要な制御を示すフローチャートである。
【図６】本発明の第２の実施形態に係る防犯機能付き携帯電話機の構造と動作を説明するための側面図である。
【図７】図６の防犯機能付き携帯電話機の非常事態検出部を示すブロック図である。
【図８】本発明の第３の実施形態に係る防犯機能付き携帯電話機の非常事態検出部を示すブロック図である。
【図９】本発明の実施形態に係る防犯機能付き携帯電話機の外観の他の一例を示す斜視図である。
【符号の説明】
【０１６６】
１００    防犯機能付き携帯電話機（防犯機能付き携帯端末装置）
２０１    本体ケース
１０１    アンテナ（防犯動作手段、自動通話開始手段、自動メール送信手段）
１０１ａ  突出部
６０２    コイルスプリング（付勢手段）
６０３    検出スイッチ（検出手段）
１０３    制御部（防犯動作手段、自動通話開始手段、自動メール送信手段、作動停止手段）
１０２    送受信部（防犯動作手段、自動通話開始手段、自動メール送信手段）
１０７    鳴動部（防犯動作手段、防犯ブザー）
１０９    電池
２０２    電池カバー
４００    防犯機能付き携帯電話機（防犯機能付き携帯端末装置）
４０１    第１接点（第１検出手段）
４０２    第２接点（第１検出手段、第２検出手段）
４０３    第３接点（第２検出手段）
２０２    タイマ部（タイマ）
１０１ｂ  導電部
１０８    操作部
５０１    防犯動作用操作部
５０２    検出スイッチ（検出手段）
【図１】
2005354382.tif 000003
【図２】
2005354382.tif 000004
【図３】
2005354382.tif 000005
【図４】
2005354382.tif 000006
【図５】
2005354382.tif 000007
【図６】
2005354382.tif 000008
【図７】
2005354382.tif 000009
【図８】
2005354382.tif 000010
【図９】
2005354382.tif 000011